【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】  水性液体吸収構造体と、有効量の生存している非病原性の酸産生細菌とを含む、吸収体製品。
【請求項２】  前記細菌が前記吸収構造体中に分散している、請求項１に記載の吸収体製品。
【請求項３】  前記細菌が前記吸収体製品中に胞子の形態で含まれている、請求項１に記載の吸収体製品。
【請求項４】  前記細菌が前記吸収体製品中に乾燥細胞塊の形態で含まれている、請求項１に記載の吸収体製品。
【請求項５】  前記細菌が、前記吸収体製品中に、液体、ペースト、粉末、顆粒、またはペレット処方物として配合されている、請求項１に記載の吸収体製品。
【請求項６】  前記吸収体製品が、吸収体製品１立方メートル当たり１０2から１０14の生菌または胞子を含む、請求項１に記載の吸収体製品。
【請求項７】  前記吸収体製品が、吸収体製品１立方メートル当たり１０3から１０10の生菌または胞子を含む、請求項１に記載の吸収体製品。
【請求項８】  前記吸収体製品が、吸収体製品１立方メートル当たり１０3から１０6の生菌または胞子を含む、請求項１に記載の吸収体製品。
【請求項９】  前記吸収体製品が、吸収体製品１立方メートル当たり１０6から１０9の生菌または胞子を含む、請求項１に記載の吸収体製品。
【請求項１０】  前記酸産生細菌が乳酸産生細菌である、請求項１に記載の吸収体製品。
【請求項１１】  前記非病原性乳酸産生細菌が、Ｂａｃｉｌｌｕｓ  ｃｏａｇｕｌａｎｓ、Ｂａｃｉｌｌｕｓ  ｃｏａｇｕｌａｎｓ  Ｈａｍｍｅｒ、Ｂａｃｉｌｌｕｓ  ｂｒｅｖｉｓ亜種ｃｏａｇｕｌａｎｓ、Ｂａｃｉｌｌｕｓ  ｌａｅｖｏｌａｃｔｉｃｕｓ、Ｂｉｆｉｄｏｂａｃｔｅｒｉｕｍ  ａｎｉｍａｌｉｓ、Ｂｉｆｉｄｏｂａｃｔｅｒｉｕｍ  ａｄｏｌｅｓｃｅｎｔｉｓ、Ｂｉｆｉｄｏｂａｃｔｅｒｉｕｍ  ｂｉｆｉｄｕｍ、Ｂｉｆｉｄｏｂａｃｔｅｒｉｕｍ  ｂｉｆｉｄｕｓ、Ｂｉｆｉｄｏｂａｃｔｅｒｉｕｍ  ｂｒｅｖｅ、Ｂｉｆｉｄｏｂａｃｔｅｒｉｕｍ  ｉｎｆａｎｔｉｓ、Ｂｉｆｉｄｏｂａｃｔｅｒｉｕｍ  ｉｎｆａｎｔｕｓ、Ｂｉｆｉｄｏｂａｃｔｅｒｉｕｍ  ｌｏｎｇｕｍ、Ｌａｃｔｏｂａｃｉｌｌｕｓ  ａｃｉｄｏｐｈｉｌｕｓ、Ｌａｃｔｏｂａｃｉｌｌｕｓ  ｂｕｌｇａｒｉｃｕｓ、Ｌａｃｔｏｂａｃｉｌｌｕｓ  ｃａｓｅｉ、Ｌａｃｔｏｂａｃｉｌｌｕｓ  ｃｅｒｅａｌｅ、Ｌａｃｔｏｂａｃｉｌｌｕｓ  ＤＤＳ−１、Ｌａｃｔｏｂａｃｉｌｌｕｓ  ｄｅｌｂｒｕｋｅｉｉ、Ｌａｃｔｏｂａｃｉｌｌｕｓ  ｆｅｒｍｅｎｔｕｍ、Ｌａｃｔｏｂａｃｉｌｌｕｓ  ｇａｓｅｒｉｉ、Ｌａｃｔｏｂａｃｉｌｌｕｓ  ＧＧ、Ｌａｃｔｏｂａｃｉｌｌｕｓ  ｊｅｎｓｅｎｉｉ、Ｌａｃｔｏｂａｃｉｌｌｕｓ  ｐｌａｎｔａｒｕｍ、Ｌａｃｔｏｂａｃｉｌｌｕｓ  ｒｈａｍｎｏｓｕｓ、Ｌａｃｔｏｂａｃｉｌｌｕｓ  ｓｐｏｒｏｇｅｎｅｓ、Ｌａｃｔｏｂａｃｉｌｌｕｓ  ｓａｌｉｖａｒｉｕｓ、Ｌａｃｔｏｂａｃｉｌｌｕｓ  ｔｈｅｒｍｏｐｈｉｌｕｓ、およびＳｐｏｒｏｌａｃｔｏｂａｃｉｌｌｕｓ  Ｐ４４からなる群から選択される、請求項１０に記載の吸収体製品。
【請求項１２】  前記酸細菌がＰｓｅｕｄｏｍｏｎａｓ  ｌｉｍｂｅｒｇｉｉである、請求項１に記載の吸収体製品。
【請求項１３】  前記製品がさらに、Ｂａｃｉｌｌｕｓ属、Ｌａｃｔｏｂａｃｉｌｌｕｓ属、Ｓｐｏｒｏｌａｃｔｏｂａｃｉｌｌｕｓ属、Ｂｉｆｉｄｏｂａｃｔｅｒｉｕｍ属、およびＰｓｅｕｄｏｍｏｎａｓ属のメンバーからなる群から選択される分解増強性の非病原性細菌を含む、請求項１に記載の吸収体製品。
【請求項１４】  前記Ｂａｃｉｌｌｕｓ  ｃｏａｇｕｌａｎｓがＢａｃｉｌｌｕｓ  ｃｏａｇｕｌａｎｓ亜種Ｈａｍｍｅｒである、請求項１に記載の吸収体製品。
【請求項１５】  前記吸収体製品が、おむつ、サニタリーナプキン、タンポン、パンティプロテクター、失禁ガード、ベッドシーツ、ベッドプロテクター、衣類、創傷またはびらん用包帯、皮膚パッチ、接着テープ、または唾液吸収材である、請求項１に記載の吸収体製品。
【請求項１６】  前記製品がディスポーザブルである、請求項１に記載の吸収体製品。
【請求項１７】  前記構造体が、吸収体マトリックスに隣接した液体非透過性背面シートを含む、請求項１に記載の吸収体製品。
【請求項１８】  前記吸収構造体が、吸収体材料の繊維、不織布、ペレットまたは凝集体を含む、請求項１に記載の吸収体製品。
【請求項１９】  前記吸収体製品が、セルロース、綿、絹、ウール、ポリエステル、ポリオレフィン、ポリアミド、ポリビニルアルコール、ポリウレタン、ポリ尿素、またはポリアクリロニトリルからなる群から選択される繊維を含む、請求項１に記載の吸収体製品。
【請求項２０】  前記吸収体製品が、不織布を含む多孔質材料を含む、請求項１に記載の吸収体製品。
【請求項２１】  前記吸収構造体が、泥炭、砂、粘土、庭土、粉砕された堅果または仁果の殻、木粉またはキチン含有粉を含む中性充填剤を含む、請求項１に記載の吸収体製品。
【請求項２２】  前記吸収構造体がさらに、前記吸収構造体中に分散した有効量のビフィドジェニックオリゴ糖を含む、請求項１に記載の吸収体製品。
【請求項２３】  前記ビフィドジェニックオリゴ糖が、フルクトオリゴ糖（ＦＯＳ）、グルコオリゴ糖（ＧＯＳ）、ラフィノース、および長鎖オリゴ糖からなる群から選択される、請求項２２に記載の吸収体製品。
【請求項２４】  前記オリゴ糖が、約４から１００糖単位のポリマー鎖長を有するポリマーを含む、請求項２２に記載の吸収体製品。
【請求項２５】  前記吸収体製品が、吸収構造体１立方センチメートル当たり約１０ミリグラムから約１グラムのＦＯＳを含む、請求項２３に記載の吸収体製品。
【請求項２６】  前記吸収体製品が、吸収構造体１立方センチメートル当たり１００ミリグラムから５００ミリグラムのＦＯＳを含む、請求項２３に記載の吸収体製品。
【請求項２７】  水性液体吸収性媒体と、有効量の生存している酸産生細菌とを含む、水性液体吸収体組成物。
【請求項２８】  前記細菌が前記組成物中に胞子の形態で含まれている、請求項２７に記載の組成物。
【請求項２９】  前記細菌が前記組成物中に乾燥細胞塊の形態で含まれている、請求項２７に記載の組成物。
【請求項３０】  前記細菌が、前記組成物中に、液体、ペースト、粉末、顆粒、またはペレット処方物として配合されている、請求項２７に記載の組成物。
【請求項３１】  前記組成物が、組成物１立方メートル当たり１０2から１０14の生菌または胞子を含む、請求項２７に記載の組成物。
【請求項３２】  前記組成物が、組成物１立方メートル当たり１０3から１０10の生菌または胞子を含む、請求項２７に記載の組成物。
【請求項３３】  前記組成物が、組成物１立方メートル当たり１０3から１０6の生菌または胞子を含む、請求項２７に記載の組成物。
【請求項３４】  前記組成物が、組成物１立方メートル当たり１０6から１０9の生菌または胞子を含む、請求項２７に記載の組成物。
【請求項３５】  前記酸産生細菌が乳酸産生細菌である、請求項２７に記載の組成物。
【請求項３６】  前記非病原性乳酸産生細菌が、Ｂａｃｉｌｌｕｓ  ｃｏａｇｕｌａｎｓ、Ｂａｃｉｌｌｕｓ  ｃｏａｇｕｌａｎｓ  Ｈａｍｍｅｒ、Ｂａｃｉｌｌｕｓ  ｂｒｅｖｉｓ亜種ｃｏａｇｕｌａｎｓ、Ｂａｃｉｌｌｕｓ  ｌａｅｖｏｌａｃｔｉｃｕｓ、Ｂｉｆｉｄｏｂａｃｔｅｒｉｕｍ  ａｎｉｍａｌｉｓ、Ｂｉｆｉｄｏｂａｃｔｅｒｉｕｍ  ａｄｏｌｅｓｃｅｎｔｉｓ、Ｂｉｆｉｄｏｂａｃｔｅｒｉｕｍ  ｂｉｆｉｄｕｍ、Ｂｉｆｉｄｏｂａｃｔｅｒｉｕｍ  ｂｉｆｉｄｕｓ、Ｂｉｆｉｄｏｂａｃｔｅｒｉｕｍ  ｂｒｅｖｅ、Ｂｉｆｉｄｏｂａｃｔｅｒｉｕｍ  ｉｎｆａｎｔｉｓ、Ｂｉｆｉｄｏｂａｃｔｅｒｉｕｍ  ｉｎｆａｎｔｕｓ、Ｂｉｆｉｄｏｂａｃｔｅｒｉｕｍ  ｌｏｎｇｕｍ、Ｌａｃｔｏｂａｃｉｌｌｕｓ  ａｃｉｄｏｐｈｉｌｕｓ、Ｌａｃｔｏｂａｃｉｌｌｕｓ  ｂｕｌｇａｒｉｃｕｓ、Ｌａｃｔｏｂａｃｉｌｌｕｓ  ｃａｓｅｉ、Ｌａｃｔｏｂａｃｉｌｌｕｓ  ｃｅｒｅａｌｅ、Ｌａｃｔｏｂａｃｉｌｌｕｓ  ＤＤＳ−ｌ、Ｌａｃｔｏｂａｃｉｌｌｕｓ  ｄｅｌｂｒｕｋｅｉｉ、Ｌａｃｔｏｂａｃｉｌｌｕｓ  ｆｅｒｍｅｎｔｕｍ、Ｌａｃｔｏｂａｃｉｌｌｕｓ  ｇａｓｅｒｉｉ、Ｌａｃｔｏｂａｃｉｌｌｕｓ  ＧＧ、Ｌａｃｔｏｂａｃｉｌｌｕｓ  ｊｅｎｓｅｎｉｉ、Ｌａｃｔｏｂａｃｉｌｌｕｓ  ｐｌａｎｔａｒｕｍ、Ｌａｃｔｏｂａｃｉｌｌｕｓ  ｒｈａｍｎｏｓｕｓ、Ｌａｃｔｏｂａｃｉｌｌｕｓ  ｓｐｏｒｏｇｅｎｅｓ、Ｌａｃｔｏｂａｃｉｌｌｕｓ  ｓａｌｉｖａｒｉｕｓ、Ｌａｃｔｏｂａｃｉｌｌｕｓ  ｔｈｅｒｍｏｐｈｉｌｕｓ、およびＳｐｏｒｏｌａｃｔｏｂａｃｉｌｌｕｓ  Ｐ４４からなる群から選択される、請求項３５に記載の組成物。
【請求項３７】  前記製品がさらに、Ｂａｃｉｌｌｕｓ属、Ｌａｃｔｏｂａｃｉｌｌｕｓ属、Ｓｐｏｒｏｌａｃｔｏｂａｃｉｌｌｕｓ属、Ｂｉｆｉｄｏｂａｃｔｅｒｉｕｍ属、およびＰｓｅｕｄｏｍｏｎａｓ属のメンバーからなる群から選択される分解増強性の非病原性細菌を含む、請求項２７に記載の組成物。
【請求項３８】  前記Ｂａｃｉｌｌｕｓ  ｃｏａｇｕｌａｎｓがＢａｃｉｌｌｕｓ  ｃｏａｇｕｌａｎｓ亜種Ｈａｍｍｅｒである、請求項２７に記載の組成物。
【請求項３９】  前記組成物がさらに、該組成物中に分散した有効量のビフィドジェニックオリゴ糖を含む、請求項２７に記載の組成物。
【請求項４０】  前記ビフィドジェニックオリゴ糖が、フルクトオリゴ糖（ＦＯＳ）、グルコオリゴ糖（ＧＯＳ）、ラフィノース、および長鎖オリゴ糖からなる群から選択される、請求項３９に記載の組成物。
【請求項４１】  前記オリゴ糖が、約４から１００糖単位のポリマー鎖長を有するポリマーを含む、請求項３９に記載の組成物。
【請求項４２】  前記組成物が、組成物１立方センチメートル当たり約１０ミリグラムから約１グラムのＦＯＳを含む、請求項４０に記載の組成物。
【請求項４３】  前記組成物が、組成物１立方センチメートル当たり１００ミリグラムから５００ミリグラムのＦＯＳを含む、請求項４０に記載の組成物。
【請求項４４】水性液体吸収性媒体と、Ｂａｃｉｌｌｕｓ  ｃｏａｇｕｌａｎｓ株の微生物阻害量の細胞外産物とを含む、水性液体吸収体組成物。
【請求項４５】  前記細胞外産物が、Ｂａｃｉｌｌｕｓ  ｃｏａｇｕｌａｎｓ株の培養物の上清または濾液として単離される、請求項４４に記載の組成物。
【請求項４６】  前記組成物がさらに、Ｂａｃｉｌｌｕｓ属、Ｌａｃｔｏｂａｃｉｌｌｕｓ属、Ｓｐｏｒｏｌａｃｔｏｂａｃｉｌｌｕｓ属、Ｂｉｆｉｄｏｂａｃｔｅｒｉｕｍ属、およびＰｓｅｕｄｏｍｏｎａｓ属のメンバーからなる群から選択される分解増強性の非病原性細菌を含む、請求項４４に記載の組成物。
【請求項４７】  前記Ｂａｃｉｌｌｕｓ  ｃｏａｇｕｌａｎｓがＢａｃｉｌｌｕｓ  ｃｏａｇｕｌａｎｓ亜種Ｈａｍｍｅｒである、請求項４４に記載の組成物。
【請求項４８】  前記組成物がさらに、有効量のビフィドジェニックオリゴ糖を含む、請求項４４に記載の組成物。
【請求項４９】  前記ビフィドジェニックオリゴ糖が、フルクトオリゴ糖（ＦＯＳ）、グルコオリゴ糖（ＧＯＳ）、ラフィノース、および長鎖オリゴ糖からなる群から選択される、請求項４８に記載の組成物。
【請求項５０】  衛生製品の使用に関連する微生物感染を阻害するシステムであって、ラベルと請求項２７または４４に記載の吸収体組成物を有する容器とを含み、ここで該ラベルが、該衛生製品の使用の間の微生物感染を阻害するための該吸収体組成物の適用の指示を含む、システム。
【請求項５１】  吸収体製品中に組み込まれた吸収構造体における、有効量の生存している非病原性の酸産生細菌の使用。
【請求項５２】  前記細菌が前記吸収体製品中に胞子の形態で含まれている、請求項５１に記載の使用。
【請求項５３】  前記吸収体製品が、吸収体製品１立方メートル当たり１０2から１０14の生菌または胞子を含む、請求項５１に記載の使用。
【請求項５４】  前記酸産生細菌が乳酸産生細菌である、請求項５１に記載の使用。
【請求項５５】  前記非病原性乳酸産生細菌が、Ｂａｃｉｌｌｕｓ  ｃｏａｇｕｌａｎｓ、Ｂａｃｉｌｌｕｓ  ｃｏａｇｕｌａｎｓ  Ｈａｍｍｅｒ、Ｂａｃｉｌｌｕｓ  ｂｒｅｖｉｓ亜種ｃｏａｇｕｌａｎｓ、Ｂａｃｉｌｌｕｓ  ｌａｅｖｏｌａｃｔｉｃｕｓ、Ｂｉｆｉｄｏｂａｃｔｅｒｉｕｍ  ａｎｉｍａｌｉｓ、Ｂｉｆｉｄｏｂａｃｔｅｒｉｕｍ  ａｄｏｌｅｓｃｅｎｔｉｓ、Ｂｉｆｉｄｏｂａｃｔｅｒｉｕｍ  ｂｉｆｉｄｕｍ、Ｂｉｆｉｄｏｂａｃｔｅｒｉｕｍ  ｂｉｆｉｄｕｓ、Ｂｉｆｉｄｏｂａｃｔｅｒｉｕｍ  ｂｒｅｖｅ、Ｂｉｆｉｄｏｂａｃｔｅｒｉｕｍ  ｉｎｆａｎｔｉｓ、Ｂｉｆｉｄｏｂａｃｔｅｒｉｕｍ  ｉｎｆａｎｔｕｓ、Ｂｉｆｉｄｏｂａｃｔｅｒｉｕｍ  ｌｏｎｇｕｍ、Ｌａｃｔｏｂａｃｉｌｌｕｓ  ａｃｉｄｏｐｈｉｌｕｓ、Ｌａｃｔｏｂａｃｉｌｌｕｓ  ｂｕｌｇａｒｉｃｕｓ、Ｌａｃｔｏｂａｃｉｌｌｕｓ  ｃａｓｅｉ、Ｌａｃｔｏｂａｃｉｌｌｕｓ  ｃｅｒｅａｌｅ、Ｌａｃｔｏｂａｃｉｌｌｕｓ  ＤＤＳ−Ｚ、Ｌａｃｔｏｂａｃｉｌｌｕｓ  ｄｅｌｂｒｕｋｅｉｉ、Ｌａｃｔｏｂａｃｉｌｌｕｓ  ｆｅｒｍｅｎｔｕｍ、Ｌａｃｔｏｂａｃｉｌｌｕｓ  ｇａｓｅｒｉｉ、Ｌａｃｔｏｂａｃｉｌｌｕｓ  ＧＧ、Ｌａｃｔｏｂａｃｉｌｌｕｓ  ｊｅｎｓｅｎｉｉ、Ｌａｃｔｏｂａｃｉｌｌｕｓ  ｐｌａｎｔａｒｕｍ、Ｌａｃｔｏｂａｃｉｌｌｕｓ  ｒｈａｍｎｏｓｕｓ、Ｌａｃｔｏｂａｃｉｌｌｕｓ  ｓｐｏｒｏｇｅｎｅｓ、Ｌａｃｔｏｂａｃｉｌｌｕｓ  ｓａｌｉｖａｒｉｕｓ、Ｌａｃｔｏｂａｃｉｌｌｕｓ  ｔｈｅｒｍｏｐｈｉｌｕｓ、およびＳｐｏｒｏｌａｃｔｏｂａｃｉｌｌｕｓ  Ｐ４４からなる群から選択される、請求項５４に記載の使用。
【請求項５６】  前記製品がさらに、Ｂａｃｉｌｌｕｓ属、Ｌａｃｔｏｂａｃｉｌｌｕｓ属、Ｓｐｏｒｏｌａｃｔｏｂａｃｉｌｌｕｓ属、Ｂｉｆｉｄｏｂａｃｔｅｒｉｕｍ属、およびＰｓｅｕｄｏｍｏｎａｓ属のメンバーからなる群から選択される分解増強性の非病原性細菌を含む、請求項５１に記載の使用。
【請求項５７】  前記Ｂａｃｉｌｌｕｓ  ｃｏａｇｕｌａｎｓがＢａｃｉｌｌｕｓ  ｃｏａｇｕｌａｎｓ亜種Ｈａｍｍｅｒである、請求項５１に記載の使用。
【請求項５８】  前記吸収体製品が、おむつ、サニタリーナプキン、タンポン、パンティプロテクター、失禁ガード、ベッドシーツ、ベッドプロテクター、衣類、創傷またはびらん用包帯、皮膚パッチ、接着テープ、または唾液吸収材である、請求項５１に記載の使用。
【請求項５９】  前記吸収構造体が、吸収体材料の繊維、不織布、ペレットまたは凝集体を含む、請求項５１に記載の使用。
【請求項６０】  前記吸収構造体がさらに、該吸収構造体中に分散した有効量のビフィドジェニックオリゴ糖を含む、請求項５１に記載の使用。
【請求項６１】  前記ビフィドジェニックオリゴ糖が、フルクトオリゴ糖（ＦＯＳ）、グルコオリゴ糖（ＧＯＳ）、ラフィノース、および長鎖オリゴ糖からなる群から選択される、請求項６０に記載の使用。
【請求項６２】  衛生製品の使用に関連する微生物増殖を阻害する方法であって：
請求項１に記載の衛生製品の表面を哺乳動物の皮膚または粘膜に接触させる工程であって、ここで該製品が、生存している非病原性の酸産生細菌を該表面に隣接して含む、工程；および
該衛生製品の表面と皮膚または粘膜との接触を、酸産生細菌の共生活性を開始させるのに十分な時間維持し、これにより、該衛生製品と接触した皮膚または粘膜に隣接した、あるいは皮膚または粘膜における微生物の増殖を阻害する工程を包含する、方法。
【請求項６３】  前記表面が、おむつ、皮膚または粘膜を拭うための柔軟な材料、皮膚パッチ、接着テープ、吸収パッド、衣類、タンポン、パンティプロテクター、失禁ガード、またはサニタリーナプキンからなる群から選択される可撓性の物品を含む、請求項６２に記載の方法。
【請求項６４】  前記哺乳動物がヒトである、請求項６２に記載の方法。
【請求項６５】  前記衛生製品が、失禁、月経、創傷分泌物、皮膚炎症、またはおむつかぶれに関連する微生物増殖を制御するために用いられる、請求項６２に記載の方法。
【請求項６６】  吸収構造体を含む吸収体製品の製造方法であって：
有効量の生存している非病原性の酸産生細菌と吸収構造体とを組み合わせる工程、および
該吸収構造体を該吸収体製品中に組み込む工程
を包含する、方法。
【請求項６７】  微生物増殖を阻害する水性吸収性材料の製造方法であって、水性吸収性材料とＢａｃｉｌｌｕｓ  ｃｏａｇｕｌａｎｓ株の細胞外産物を含む微生物阻害量の液体懸濁液とを接触させる工程、および液体と接触した吸収性材料を乾燥させる工程を包含する、方法。
【請求項６８】  前記製品が幼児用おむつであり、前記酸産生細菌が約１０9ＣＦＵのＢａｃｉｌｌｕｓ  ｃｏａｇｕｌａｎｓ胞子を含み、前記分解増強性細菌が各々約２．５×１０8ＣＦＵのＢａｃｉｌｌｕｓ  ｌｉｃｈｅｎｉｆｏｒｍｉｓ胞子、Ｂａｃｉｌｌｕｓ  ｓｕｂｔｉｌｉｓ胞子、Ｂａｃｉｌｌｕｓ  ｐｕｍｉｌｉｓ胞子、およびＢａｃｉｌｌｕｓ  ｍｅｇａｔｅｒｉｕｍ胞子を含み、そして該細菌が該おむつの前記吸収構造体中に分散している、請求項１３に記載の吸収体製品。
【請求項６９】  実施例に記載の吸収体製品。